(57)【要約】【課題】ドア本体に設けるポストの部分からの可燃性ガスの流出を防止し、可燃性ガス流出による延焼を防止しうる構成のドアを提供する。【解決手段】ポスト芯材２５の室内側端部および室外側端部の各周辺に、それぞれ上下左右に突出する鍔部２５ｅ，２５ｈを設ける。ポスト芯材２５の室内側端部の鍔部２５ｅと、内側表面板１０の裏面との間に加熱発泡材３６ｂを設ける。ポスト芯材２５の室外側端部の鍔部２５ｈと、外側表面板１１の裏面との間に、加熱発泡材３７ｂを設ける。火災発生時にこれらの加熱発泡材３６ｂ，３７ｂが発泡して隙間を閉塞し、断熱材１２から発生する可燃性ガスの流出を防止する。【選択図】図６
2015178716.tif 000002
【特許請求の範囲】
【請求項１】
縦枠および横枠により構成された矩形のドア枠内に、ドア本体を開閉可能に取付け、前記ドア本体は、室内外に表面板を有し、
前記ドア本体の開口にポストを取付けてなるドアにおいて、
前記ポストは、前記ドア本体の室内外方向に連通した連通口を備えたボックス状をなすポスト芯材を有し、
前記ポスト芯材の室内側端部および室外側端部には、それぞれ見付方向に延びる鍔部を設け、
前記ポスト芯材の室内側端部の鍔部と内側表面板の裏面との間に加熱発泡材を設け、
前記ポスト芯材の室外側端部の周辺の鍔部と外側表面板の裏面との間に加熱発泡材を設けたことを特徴とするドア。
【請求項２】
請求項１に記載のドアにおいて、
前記ポスト芯材の上板部の下面と、左右の側板部の相互の対向面に加熱発泡材を設けたことを特徴とするドア。
【発明の詳細な説明】
【技術分野】
【０００１】
本発明は、アパートや一般住宅等に用いられるドアに係わり、特にその防火構造に関する。
【背景技術】
【０００２】
玄関ドア等のドアにおいては、特許文献１に示すように、郵便受けとしてのポストが設けられる。
【先行技術文献】
【特許文献】
【０００３】
【特許文献１】特開２０１０−２３４０８９号公報
【発明の概要】
【発明が解決しようとする課題】
【０００４】
アパート等に設置するドアとして、ポストを設けたものは、火災発生時にこのポストにおける隙間から可燃性ガス等が流出、流入しやすくなり、これが延焼を生じる原因となることがある。特にドア内部に発泡ポリスチレンなどの断熱材を設けたものにおいては、発泡ポリスチレンは加熱により溶融して可燃性ガスを発生するので、ポストが設けられたドアの場合、この可燃性ガスがポスト取付け部分の隙間、もしくはポスト口から流出して引火しやすくなり、延焼を生じやすくなる。
【０００５】
本発明は、ドア本体に設けるポストの部分からの可燃性ガスの通過を防止し、延焼を防止しうる構成のドアを提供することを目的とする。
【課題を解決するための手段】
【０００６】
請求項１のドアは、縦枠および横枠により構成された矩形のドア枠内に、ドア本体を開閉可能に取付け、前記ドア本体は、室内外に表面板を有し、
前記ドア本体の開口にポストを取付けてなるドアにおいて、
前記ポストは、前記ドア本体の室内外方向に連通した連通口を備えたボックス状をなすポスト芯材を有し、
前記ポスト芯材の室内側端部および室外側端部には、それぞれ見付方向に延びる鍔部を設け、
前記ポスト芯材の室内側端部の鍔部と内側表面板の裏面との間に加熱発泡材を設け、
前記ポスト芯材の室外側端部の周辺の鍔部と外側表面板の裏面との間に加熱発泡材を設けたことを特徴とする。
【０００７】
請求項２のドアは、請求項１に記載のドアにおいて、
前記ポスト芯材の上板部の下面と、左右の側板部の相互の対向面に加熱発泡材を設けたことを特徴とする。
【発明の効果】
【０００８】
請求項１の発明によれば、火災発生時にドア本体に設けられるポスト部分からの可燃性ガス流出、流入による延焼を防止することができる。
【０００９】
請求項２の発明によれば、火災発生時の熱により、ポスト内面の開口部が閉塞され、室内外方向の火炎や熱気が遮断されるため、延焼をより良好に防止することができる。
【図面の簡単な説明】
【００１０】
【図１】本発明の一実施の形態のドアを室外側から見た図である。
【図２】図１のドアの縦断面図である。
【図３】図１のドアの横断面図である。
【図４】本実施の形態のドア本体の枢着部を示す縦断面図である。
【図５】本実施の形態において、ポスト部分を示す縦断面図である。
【図６】本実施の形態において、ポスト部分を示す横断面図である。
【図７】本実施の形態のポストの構成部品を示す分解斜視図である。
【図８】図７に示すポスト芯材を拡大して示す斜視図である。
【図９】図６の部分拡大横断面図である。
【図１０】本実施の形態において、加熱発泡材の発泡後の状態を示す縦断面図である。
【図１１】本実施の形態において、加熱発泡材の発泡後の状態を示す横断面図である。
【発明を実施するための形態】
【００１１】
図１は本発明のドアの一実施の形態を室内側から見た図、図２、図３はそれぞれ図１のドアの縦断面図および横断面図である。図１ないし図３において、１はドア枠、２はドア枠１内に取付けられるドア本体である。ドア枠１は、アルミニウム合金等の金属製押出形材でなる吊元側縦枠３と戸先側縦枠４と上側の横枠（上枠）５と下側の横枠（下枠）６とをタッピングねじ(図示せず)により組み合わせて矩形に構成する。本実施の形態においては、縦枠３，４および上枠５は室外側部材３ａ，４ａ，５ａと室内側部材３ｂ，４ｂ，５ｂとの間をゴム等の断熱性のブリッジ材３ｃ，４ｃ，５ｃとでそれぞれ結合し、断熱性を高めている。また、下枠６の室内側の表面は合成樹脂材表面材６ａで覆われている。
【００１２】
図１において、７はドア本体２の戸先側に設けた開閉用ハンドル、８ａ，８ｂは上下のシリンダー錠である。９は郵便物等を入れるためにドア本体２に設けたポストである。
【００１３】
本実施の形態のドア本体２は、金属製、例えば、鋼製の内側表面板１０および外側表面板１１とでボックス状に構成される外装板内にパネル状の断熱材１２を挟み、断熱材１２を内側表面板１０と外側表面板１１に接着して構成している。なお、内側表面板１０と外側表面板１１は、その各両側部、上端部、下端部をそれぞれＬ字形に折り曲げ、各Ｌ字形の折曲げ端部を突き合わせてボックス状に構成している。断熱材１２には例えば発泡ポリスチレン等の発泡材を用いる。１４は縦枠３，４、上枠５および下枠６に取付けられた気密材であり、ドア本体２の周囲の室内側の面を当接させて気密性を保つものである。
【００１４】
図４は本実施の形態のドア本体２の枢着部を示す縦断面図である。図４に示すように、ドア本体２の吊元側には、金属製、例えば、鋼製の芯材１５をドア本体２の上下全長にわたって設け、内側表面板１０または外側表面板１１の少なくともいずれか一方にリベット１６により固定する。芯材１５の上下端部には枢着用のプレート１７，１８を固定する。下枠６の吊元側縦枠３側には枢着軸１９を取付け、その枢着軸１９を、筒状スペーサ２０と、プレート１８に設けた枢着孔１８ａに回動可能に嵌合する。また、芯材１５の上面に固定したプレート１７には上方に突出させて枢着軸２１を設ける。一方、上枠５の吊元側縦枠３側には、金属製、例えば、鋼製の軸受部材２２を設け、この軸受部材２２に枢着孔２２ａを設ける。そして枢着軸２１を軸受部材２２の枢着孔２２ａに回動可能に嵌合する。これにより、ドア本体２をドア枠１に開閉可能に取付ける。なお、ドア本体２は縦枠３に蝶番により開閉可能に取付けてもよい。
【００１５】
図５はポスト９の取付け構造を示す縦断面図、図６はその横断面図、図７はポスト９を構成する分解斜視図である。このポスト９は、図７に示すように、主体となるポスト芯材２５と、このポスト芯材２５をドア本体２に固定するための室内側固定金具２６および室外側固定金具２７と、この室外側固定金具２７に形成される室外側の開口部を開閉するために取付ける蓋板２８と、蓋板２８を室外側固定金具２７に取付けるための取付け金具３０、ばね部材３１および芯棒３２と、ポスト９の室内側開口部を塞ぎ、手紙等がポスト９の内部から落下することを防止するすだれ状の落下防止部材３３と、この落下防止部材３３を室内側固定金具２６に取付ける取付け金具３４と、内側表面板１０の裏面とポスト芯材２５との間に設ける加熱発泡材３６ａ〜３６ｃと、外側表面板１１の裏面とポスト芯材２５との間に設ける加熱発泡材３７ａ〜３７ｃと、ポスト芯材２５の内面に固着する加熱発泡材３８ａ，３８ｂと、室外側固定金具２７と外側表面板１１との間に設ける気密材３９とにより大略構成される。なお、室内側固定金具２６と取付け金具３４は、合成樹脂成形材でなる。
【００１６】
このポスト芯材２５は、図８に示すように、上板部２５ａと、左右の側板部２５ｂと、左右の側板部２５ｂ，２５ｂ間に室外側から室内側が下がるように傾斜して一体に設けられた下板部２５ｃ（図５参照）とからなる構造、すなわち室内外方向に連通する連通口を有する矩形のボックス形状を有する。
【００１７】
このポスト芯材２５の室内側、室外側には、それぞれ見付方向に延びる鍔部２５ｄ，２５ｅ，２５ｆと、２５ｇ，２５ｈ，２５ｊを有する。すなわちポスト芯材２５の上板部２５ａの室内側から上方に延びる鍔部２５ｄと、左右の側板部２５ｂからポスト９の側方に延びる鍔部２５ｅと、下板部２５ｃから下方に延びる鍔部２５ｆ（図５参照）を有する。また、ポスト芯材２５の室外側端部の周辺には、上板部２５ａから上方に延びる鍔部２５ｇと、左右の側板部２５ｂからポスト９の側方に延びる鍔部２５ｈと、下板部２５ｃから下方に延びる鍔部２５ｊとを有する。
【００１８】
図５、図６に示すように、ポスト芯材２５の上板部２５ａの下面および側板部２５ｂの相互の対向面には、それぞれシート状をなす加熱発泡材３８ａ，３８ｂを両面テープや接着もしくはビス等の固定具を用いて固着する。
【００１９】
加熱発泡材３６ａ，３６ｂ，３６ｃは、ポスト芯材２５の室内側端部の周辺の鍔部２５ａ，２５ｅ，２５ｆにおける内側表面板１０の裏面に対向する面に、それぞれ両面テープや接着により固着する。加熱発泡材３７ａ，３７ｂ，３７ｃは、ポスト芯材２５の室外側端部の周辺の鍔部２５ｇ，２５ｈ，２５ｊにおける外側表面板１１の裏面に対向する面に、それぞれ両面テープや接着により固着する。  
【００２０】
図５に示すように、蓋板２８を取付けるための取付け金具３０は、室外側固定金具２７の上部の室内側の面に溶接する。この取付け金具３０に、蓋板２８を回動可能に取付け、かつばね３１を巻装した芯棒３２を取付ける。このばね３１は蓋板２８の室内側の面を押圧して蓋板２８を室外側固定金具２７に気密材３９を介して押し当て、閉塞状態を維持するものである。
【００２１】
図５に示すように、すだれ状の落下防止部材３３を取付ける取付け金具３４は、室内側固定金具２６の裏面にビス４１により取付けられ、落下防止部材３３は、室内側固定金具２６と取付け金具３４との間で上部を挟持されて取付けられる。  
【００２２】
４３，４４はこれらの部材をドア本体２に設けた開口部２ａに一体化して取付けるための筒状ナットおよびボルトである。筒状ナット４３は室外側固定金具２７に溶接される。図７に示すように、気密材３９、加熱発泡材３７ｂ、ポスト芯材２５の室外側端部の鍔部２５ｈにはそれぞれ筒状ナット４３を通すための孔３９ａ，３７ｄ，２５ｋを設ける。また、室内側固定金具２６、加熱発泡材３６ｂ、ポスト芯材２５の室内側端部の鍔部２５ｅにはそれぞれボルト４４を通す孔２６ａ，３６ｄ，２５ｍを設ける。
【００２３】
このポスト９のドア本体２の開口部２ａに対する取付けを行なう場合は、ポスト芯材２５に加熱発泡材３６ａ〜３６ｃ，３７ａ〜３７ｃ，３８ａ，３８ｂを固着しておき、図５および図６に示すように、加熱発泡材３７ａ〜３７ｃを外側表面板１１の裏面、すなわち断熱材１２側の面に当接させ、加熱発泡材３６ａ〜３６ｃを内側表面板１０の裏面、すなわち断熱材１２側の面に当接させておく。
【００２４】
室外側固定金具２７には、予め、蓋板２８を取付けておき、かつ気密材３９を固着しておき、室内側固定金具２６にも落下防止部材３３を予め取付けておく。
【００２５】
そして、図９に示すように、気密材３９の孔３９ａ、外側表面板１１の孔１１ａ、加熱発泡材３７ｂの孔３７ｄおよび鍔部２５ｈの孔２５ｋに室外側固定金具２７に設けた筒状ナット４３を通して室外側固定金具２７を外側表面板１１の表面に当てる。また、室内側固定金具２６を内側表面板１０の表面に当て、ボルト４４を室内側固定金具２６の孔２６ａ、内側表面板１０の孔１０ａ、加熱発泡材３６ｂの孔３６ｄ、鍔部２５ｅの孔２５ｍに通して筒状ナット４３に螺入して締結することにより、ポスト９をドア本体２に取付ける。
【００２６】
このように、本実施の形態のポスト９は、ポスト芯材２５の室内側端部の鍔部２５ｄ〜２５ｆと内側表面板１０との間に加熱発泡材３６ａ〜３６ｃを介装し、ポスト芯材２５の室外側端部の鍔部２５ｇ〜２５ｊと外側表面板１１との間に加熱発泡材３７ａ〜３７ｃを介装した構造である。
【００２７】
このため、火災発生時には、図１０、図１１の縦断面図および横断面図に示すように、これらの加熱発泡材３６ａ〜３６ｃ，３７ａ〜３７ｃが発泡するため、ポスト芯材２５の鍔部２５ｄ〜２５ｆ、２５ｇ〜２５ｊと内外の表面板１０，１１の裏面との間の隙間が閉塞される。このため、内外の表面板１０，１１の間に収容する断熱材１２として、加熱により溶融して可燃性ガスを発生する発泡ポリスチレン等の材質のものを用いても、ポスト芯材２５と表面板１０，１１との間からの可燃性ガスの流出を防止することができる。このため、可燃性ガス流出による延焼を防止することができる。また、発泡ポリスチレン等は断熱性が例えば水酸化アルミニウムコア等に比較して格段に高いため、断熱性の高いドアの提供が可能となる。
【００２８】
また、本実施の形態においては、ポスト芯材２５の上板部２５ａの下面、側板部２５ｂの相互の対向面にも加熱発泡材３８ａ，３８ｂを固着したので、図１０、図１１に示すように、火災発生時にこれらの加熱発泡材３８ａ，３８ｂも発泡する。このため、ドア本体２の室内外方向の火炎や熱気が遮断されるため、延焼をより良好に防止することができる。
【００２９】
上記実施の形態においては、ポスト９の室内側にポスト収容物の落下防止部材３３を取付けた構成について示したが、この落下防止部材３３の代わりにボックス状の収容箱をポスト芯材２５の室内側に取付ける構成にも本発明を適用できる。また、本発明は、内外の表面板１０，１１内に断熱材１２を有しないものにも適用できる。その他、本発明を実施する場合、本発明の要旨を逸脱しない範囲において、構成部材やその組み合わせについて、種々の変更、付加が可能である。
【符号の説明】
【００３０】
１：ドア枠、２：ドア本体、２ａ：開口部、３：吊元側縦枠、４：戸先側縦枠、５：上枠、６：下枠、７：ハンドル、８ａ，８ｂ：シリンダー錠、１０：内側表面板、１１：外側表面板、１２：断熱材、１９，２１：枢着軸、２５：ポスト芯材、２６：室内側固定金具、２７：室外側固定金具、２８：蓋板、３３：落下防止部材、３６ａ〜３６ｃ，３７ａ〜３７ｃ，３８ａ，３８ｂ：加熱発泡材、３９：気密材、４３:筒状ナット、４４：ボルト
【図１】
2015178716.tif 000003
【図２】
2015178716.tif 000004
【図３】
2015178716.tif 000005
【図４】
2015178716.tif 000006
【図５】
2015178716.tif 000007
【図６】
2015178716.tif 000008
【図７】
2015178716.tif 000009
【図８】
2015178716.tif 000010
【図９】
2015178716.tif 000011
【図１０】
2015178716.tif 000012
【図１１】
2015178716.tif 000013